【事件の表示】
　特願２０１２−　９７１６９「装置、方法、及びプログラム」拒絶査定不服審判事件〔平成２５年　５月　９日出願公開、特開２０１３−　８４２３７〕について、次のとおり審決する。
【結　論】
　本件審判の請求は、成り立たない。
【理　由】
第１　手続の経緯
　本願は、平成２４年１月２６日を出願日とする特願２０１２−１４６６６号（優先権主張平成２３年９月２８日）の一部を、平成２４年４月２０日に新たに特許出願したものであって、平成２４年７月１１日付けで拒絶理由が通知され、これに対し、平成２４年９月２４日に補正書が提出されたが、平成２４年１０月５日付けで拒絶査定がなされ、これに対し、平成２５年１月１６日に拒絶査定不服の審判請求がなされたものである。
　
第２　本願発明
　本願の請求項１〜１２に係る発明は平成２４年９月２４日に提出された手続補正書により補正された特許請求の範囲の請求項１〜１２に記載された事項により特定されるとおりのものであるところ、請求項３に係る発明（以下、「本願発明」という。）は、次のとおりのものである。
　
「【請求項３】
　フォアグランドのアプリケーションの画面を表示するタッチスクリーンディスプレイと、
　一のアプリケーションをフォアグランドにしており他のアプリケーションをバックグランドにしている第１の場合に前記タッチスクリーンディスプレイに対して第１ジェスチャが行われると、フォアグランドのアプリケーションに当該第１ジェスチャに応じた動作を行わせ、前記第１の場合に前記タッチスクリーンディスプレイに対して第２ジェスチャが行われると、フォアグランドのアプリケーションをバックグランドにすると共にバックグランドのアプリケーションをフォアグランドにするコントローラと、
　を備え、
　前記コントローラは、一のアプリケーションをフォアグランドにしており複数のアプリケーションをバックグランドにしている第２の場合には、前記タッチスクリーンディスプレイに対して前記第２ジェスチャが行われる度に、バックグランドの複数のアプリケーションを、当該複数のアプリケーションが実行された順序と逆順にフォアグランドにする
　装置。」
　
第３　引用例
　平成２４年７月１１日付けの拒絶理由通知にて引用された、本願の優先日前に電気通信回線を通じて公衆に利用可能となった、全てのiPadユーザー必見！マルチタスク用ジェスチャの設定で超快適！！，nori510.com，2011年5月6日[2012年7月11日検索],[online],インターネットURL: http://nori510.com/archives/4720 （以下、「引用例」という。）には、図面とともに次の技術事項が記載されている。
　
ア）「
Macのトラックパッドの操作
　
iPadの画面上でソレが出来てしまう。それが、iPadのマルチタスク用ジェスチャ機能。 
　
イ）「
マルチタスク用ジェスチャで
４本指または、５本指で、iPadを操作出来るようになり
追加される操作は
　
１．
４本または、５本指でピンチ - ホーム画面に移動
２．４本または、５本指で上にスワイプ - マルチタスクバーを表示
３．
４本または、５本指で左右にスワイプ - App を切り替える
　
ウ）引用例の「１．
４本または、５本指でピンチ−ホーム画面に移動
５本の指をすぼめるピンチで、アプリを閉じてホーム画面へ
iPad2 の画面上で操作を行っている
　
エ）「３．
４本または、５本指で左右にスワイプ - Appを切り替える
　
コレがまた、超イイ。ほんとにイイ。
今まで、アプリを切り替えるとき、ホームボタン二度押しで、マルチタスクバーを表示して、アプリを選択。という工程だったものが、４本指で左右にスワイプする事でヌルヌルとアプリを切り替えることが出来ます
　
オ）引用例の「３．４本または、５本指で左右にスワイプ - Appを切り替える」の項に記載された写真には、iPad2 の画面上を４本指で左右にスワイプ操作してアプリを切り替える様子が記載されている。
　
　
　上記引用例記載事項及び図面の記載、及び、iPad という用語は、iPad 及び iPad2 を総称して用いられるものであることがよく知られていること、及び、引用例では、全体を通して iPad2 についての操作の例が示されていることを総合勘案すると、引用例には、次の発明（以下、「引用発明」という。）が記載されているものと認められる。
　
「iPad2 のマルチタスク用ジェスチャ機能は、Mac のトラックパッドの操作を iPad2 の画面上で出来るものであり、
　マルチタスク用ジェスチャでは、４本指または、５本指で、iPad2を操作出来るようになり、
　追加される操作としては、４本または、５本指でピンチしてホーム画面に移動する操作と、４本または、５本指で左右にスワイプして App を切り替える操作があり、
　ホーム画面に移動する操作は、iPad2 の画面上で５本の指をすぼめるピンチを行うものであり、
　当該 App を切り替える操作は、今まで、アプリを切り替えるとき、ホームボタン二度押しで、マルチタスクバーを表示して、アプリを選択という工程だったものが、４本指で左右にスワイプする事でアプリを切り替えることが出来るものである
　iPad2。」
　
　
　本願の優先日前に頒布された刊行物である、タブレット＆スレートＰＣ大集合　ｉＰａｄ２　ＷｉＦｉモデル　１６ＧＢ　ホワイト　洗練されたデザインと操作性が魅力のｉＰａｄ２、週刊アスキー、株式会社アスキー・メディアワークス、２０１１年６月２１日、第２３巻、通巻８３８号、第２３頁（以下、「周知例１」という。）には、図面とともに次の技術事項が記載されている。
　
カ）「iPad2 WiFiモデル
１６ＧＢ ホワイト
●アップル　●http://www.apple.com/jp/
アップルストア価格　４万４８００円
　
SPEC
ＣＰＵ　　　　　　Apple A5(1GHz)
ディスプレー　　　９．７インチ（１０２４×７６８ドット）
メモリー　　　　　１６ＧＢ（３２ＧＢ、６４ＧＢモデルもあり）
インターフェース　無線ＬＡＮ（８０２．１１ａ／ｂ／ｇ／ｎ）
本体サイズ／重量　約185.7(W)x88(D)x241.2(H)mm/約601g」（第２３頁上欄第１〜１０行。）
　
　
キ）「ココが強い！
洗練を極めた
ｉＯＳの操作性と
外観デザイン
　
ｉＰａｄ２が直感的に使えるのはｉＯＳの優れた操作性による。たとえば、ウェブページ上で強くフリックすると高速にスクロールして、ページの端で跳ね返る。」（第２３頁中央欄、見出し〜本文第６行。）
　
　
　本願の優先日前に頒布された刊行物である、Ａｐｐｌｅ、次世代への布石　Ｐａｒｔ　２：ｉＯＳ　５　パソコンから解き放たれて大きく変貌を遂げたｉＯＳ　５、Ｍａｃ　Ｐｅｏｐｌｅ、株式会社アスキー・メディアワークス、２０１１年６月２９日発行、Ｖｏｌ．１７、Ｎｏ．１２、第２４〜２９頁（以下、「周知例２」という。）には、図面とともに次の技術事項が記載されている。
　
ク）「かゆいところに手が届く
バージョンアップ
　
「メール」では、本文のテキストにボールドやイタリック、アンダーラインと言った装飾を加えられるほか、本文の引用レベルのコントロールも可能になる（図１）。「Ｔｏ」「Ｃｃ」「Ｂｃｃ」欄に入力済みの宛先をドラッグ＆ドロップで移動できる機能も加わる。
ｉＰａｄ版「カレンダー」には、12ヵ月ぶんのカレンダーを一覧できる年表示が追加される（図２）。ドラッグ＆ドロップでスケジュールの日付や時間を変更可能だ。」（第２９頁上欄第１〜１２行。）
　
　
　本願の優先日前に頒布された刊行物である、Ｗｉｎｄｏｗｓ  Ｍｏｂｉｌｅ  ６  アプリケーションブック、初版、株式会社毎日コミュニケーションズ、２００９年２月２０日、第２３２〜２３４頁（以下、「周知例３」という。）には、図面とともに次の技術事項が記載されている。
　
ケ）「Windows Mobile 初心者が最も戸惑いを覚えるのが、Windows XP・Vista とのタスク管理の違いだろう。Windows Mobile では、アプリの終了は利用頻度やメモリ占有量に応じて OSが自動的に行う。これは端末の処理速度が十分ではなかった時代に考えられた仕掛けで、１度起動したアプリを裏に回しておくことで、２度目に呼び出されたときにアプリ起動の待ち時間をゼロにできるメリットがある。Windows Mobile の［×］ボタンが「終了」ではなく、「最小化」なのはこのためだ。アプリが動作中かどうかをユーザーが意識しない作りなので、動作中のアプリを切り替える機能も表立って用意されておらず、アプリを呼び出すときには初回起動、動作中を問わず、スタートメニューを利用するというスタイルが貫かれている。」（第２３２頁第５〜１２行。）
　
　
　本願の優先日前に頒布された刊行物である、ＢｌａｃｋＢｅｒｒｙアプリ開発入門、初版、株式会社インプレスジャパン、２０１０年１２月１日発行、第４９〜５８頁（以下、「周知例４」という。）には、図面とともに次の技術事項が記載されている。
　
コ）「ここでは次の数章で繰り返し登場する基本概念を取り上げており、それにはユーザーインターフェイス(UI)のスレッドモデルや BlackBerry API の Javadoc が含まれています。また、アプリケーションのライフサイクル、フォアグランドアプリケーションとバックグラウンドアプリケーション、開発環境を使って作成できる BlackBerry プロジェクトの種類など、さまざまな種類のアプリケーションにおいて知っておくと役立つ情報も取り上げます。」（第４９頁第８〜１２行。）
　
サ）「ユーザーが赤い電話キーを押すか、タスクを明示的に切り替えるときに、アプリケーションをバックグラウンドに送ることができます。」（第５６頁第２９〜３０行。）
　
　本願の優先日前に頒布された刊行物である、ｉＯＳ　４プログラミングブック、初版、株式会社インプレスジャパン、２０１１年２月１日発行、第３９〜４８頁（以下、「周知例５」という。）には、図面とともに次の技術事項が記載されている。
　
シ）「２−１−１−２　ｉＯＳのマルチタスキング
　ｉＯＳのマルチタスキングは、一般的なマルチタスキングとは異なり、次の特徴を全面に出しています。
　
　−　起動したアプリケーションの実行イメージをメモリ上に保持し、他のアプリケーションとの切換を素早く、状態を維持したまま行える
　−　少し時間のかかるタスクを、他のアプリケーションに切り替えた後でも継続して実行できる
　−　オーディオ／ＧＰＳ／ＶｏＩＰを利用したアプリケーションをバックグラウンドで実行し続けられる」（第４２頁第１１〜１６行。）
　
ス）「２−２−１　アプリケーションのライフサイクル
　
　ｉＯＳのアプリケーションは、常にある１つの状態を伴ってシステム内に存在しています。動作中、この状態が色々と変化（遷移）していくことで処理が行われます。
　アプリケーションは、マルチタスキングが有効になっている場合は、非実行（Not Running）、アクティブ（Active）、非アクティブ（Inactive）、バックグラウンド（Background）、一時停止（Suspended）の５つの状態のうちどれか１つを持ちます。」（第４５頁第４〜９行。）
　
セ）「アプリケーションが Background の状態になっているのは、具体的には次のようなタイミングです。
　
-　アプリケーションから抜けてホーム画面／他アプリケーションに移ったときの、非アクティブに遷移するまでの５秒の猶予期間
-　上と同じ状況の、ただし Task Completion （「2-3-3 Task Completion」（64ページ）を参照）の要求によって得られた600秒の猶予期間
-　UIBackgroundModes によってバックグラウンド実行を宣言した時の、バックグラウンドでの実行中」（第４６頁第１６〜２１行。）
　
　
　本願の優先日前に頒布された刊行物である、特開２０００−３０５６９２号公報（以下、「周知例６」という。）には、図面とともに次の技術事項が記載されている。
　
ソ）「【００１４】本発明の目的は、マウス等に代表されるポインティングデバイスのボタン操作のみによって作業を中断させることなく、目的とするウィンドウの選択および制御を画面表示イメージで行うことにより、より簡易で感覚的な操作環境を提供することにある。」（第【００１４】段落。）
　
タ）「【００２０】まず、操作者は通常のＯＳ操作を行っており、その段階で画面上には複数のウィンドウが重なり合って表示されているものとする（ステップ２０１）。この段階で例えば画面上には図３の３０１に示すウィンドウが表示されているものとする。図３の３０１は以降の説明を簡略化するために３つのウィンドウと１つの最小化されたアイコンが表示されている場合を示している。本発明ではこれ以上のウィンドウおよび最小化アイコンがより複雑な重なり合いをもって表示されている場合でも影響は受けない。
【００２１】操作者が複数のウィンドウから現在アクティブではないウィンドウでの作業あるいは制御を要求し、目的とするウィンドウを選択する必要が生じた場合、ウィンドウの選択を行うために、マウスの操作によってウィンドウ選択モードへ移行する（ステップ２０２およびステップ２０３）。この作業はポインティングデバイスのみの操作であればよく、本説明ではマウスを例に説明する。この操作を示したのが図３の３０２である。
【００２２】もしウィンドウ選択モードへの移行操作行われない場合は、通常のＯＳ操作がそのまま続行される。
【００２３】図３の３０２の状態、すなわちウィンドウ選択および制御用アイコン３０４上にポインタが重なった状態で、マウスの右ボタンが再度押下されると（ステップ２０４およびステップ２０５）、図３の３０３に示すように、現在アクティブなウィンドウの次に生成されたウィンドウが代わりにアクティブになる（ステップ２１１およびステップ２１２）。
【００２４】ここで、現在アクティブなウィンドウが一番最後に生成されたものであった場合は、一番最初に生成されたウィンドウをアクティブにする（ステップ２１１およびステップ２１３）。
【００２５】以降、図４の４０１，４０２，４０３に示すように右ボタンでの押下を繰り返していくと、現在アクティブなウィンドウの次に生成されたウィンドウが順次アクティブになる。
【００２６】また、図４の４０２に示すように、ウィンドウが最小化されアイコン化されているものがあった場合は、元のサイズに戻して表示する。
【００２７】上記ステップ（ステップ２０５、ステップ２１１、ステップ２１２、ステップ２１３）を繰り返していくと、図４の４０３に示すように、ウィンドウ選択モードに移行する前にアクティブであったウィンドウに戻ることができる。
【００２８】本実施形態では、ウィンドウの切替え順序として“ウィンドウの生成順”としているが、“現在表示されているウィンドウの重なりの順”をウィンドウ切り替え順序として適用してもよい。またその場合、最小化しているウィンドウについては、ウィンドウの切替えの順序の任意な順序に入れても構わない。さらに、表示順は順方向逆方向のどちらにしても構わない。」（第【００２０】〜【００２８】段落。）
　
　
　本願の優先日前に頒布された刊行物である、特開平１０−２２２３３７号公報（以下、「周知例７」という。）には、図面とともに次の技術事項が記載されている。
　
チ）「【００１１】本発明の目的は、ＧＵＩ環境を持ち、音声によるデータ入力・操作指示を行うマン・マシン・インタフェースを備えたコンピュータシステムにおいて、音声によるウインドウ及びアプリケーションの確実・容易な選択・操作になり、操作効率も高めるコンピュータシステムを提供することにある。」（第【００１１】段落。）
　
ツ）「【００３９】ここで、本実施形態では、システムソフトウエア８による表示制御手段には、表示画面９Ａに表示されるすべてのウインドウに仮想的なウインドウ優先順位を付けており、現在アクティブになっているウインドウを最も優先順位の高いものとしておく。
【００４０】また、アクティブウインドウの裏に位置するウインドウを２番目の優先順位とし、その裏のウインドウを３番目のウインドウとするウインドウ位置に応じた優先順位を設定しておく。
【００４１】そして、システムソフトウエア８は、ある特定のキーワード（例えば「ウインドウ」）を設定しておき、その特定のキーワードをキーワード制御コマンド５から受け付けたとき、現在アクティブになっているアプリケーション（ウインドウ）の裏に位置するウインドウ、つまりウインドウ優先順位が２番目のものをアクティブウインドウにするウインドウ切換機能を持つ。
【００４２】このウインドウ切換機能によるウインドウ切換時には、それまでアクティブであったウインドウはウインドウ優先順位を最下位にする。
【００４３】したがって、本実施形態によれば、目的とするアプリケーションが非アクティブな状態のとき、利用者は音声によってウインドウ切換のキーワードを発声することにより、音声認識部３による音声認識とキーワード制御コマンド変換部５による制御コマンドへの変換がなされ、これによりシステムソフトウエア８による画面９Ａ上のウインドウ切換がなされ、この切換えはウインドウ切換のキーワードが発声される毎に優先順位の高いウインドウに切換えられ、希望するウインドウをアクティブな状態にすることができる。」（第【００３９】〜【００４３】段落。）
　
　
第４　対比・判断
　本願発明と引用発明とを比較する。
　
（１）例えば、周知例２の記載事項カに「iPad2 WiFiモデル」「ＣＰＵ　　　　　　Apple A5(1GHz)」「メモリー　　　　　１６ＧＢ（３２ＧＢ、６４ＧＢモデルもあり）」などと記載されることを参酌すると、引用発明の「iPad2」は、入力を受け付け、動作を制御するための「コントローラ」を当然備えているものといえる。
　
（２）引用発明の「アプリ」もしくは「App」は、本願発明の「アプリケーション」に相当する。
　
（３）引用発明は、「Mac のトラックパッドの操作を iPad2 の画面上で出来るもの」であって、「４本または、５本指で左右にスワイプして App を切り替える操作」があるものであるから、当然「タッチスクリーンディスプレイ」を有しているものといえる。
　
（４）また、引用発明は、「ホーム画面に移動する操作は、iPad2 の画面上で５本の指をすぼめるピンチを行う」ものであるから、ホーム画面に移動する前には画面上にアプリの画面が表示されているものと言える。そうすると、ホーム画面に移動する前に画面が表示されていたアプリは「フォアグランドのアプリケーション」と言うことが出来るから、引用発明と本願発明は、「フォアグランドのアプリケーションの画面を表示するタッチスクリーンディスプレイ」を有する点で一致している。
　
（５）引用発明の「iPad2」では、アプリの画面でジェスチャ等の操作を行うことで、アプリに当該操作に応じた動作を行わせるものであることは周知の事項である（例えば、周知例１の記載事項キには、「ウェブページ上で強くフリックすると高速にスクロールして、ページの端で跳ね返る。」と記載され、周知例２の記載事項クには「「メール」では、……「Ｔｏ」「Ｃｃ」「Ｂｃｃ」欄に入力済みの宛先をドラッグ＆ドロップで移動できる機能も加わる。」「ｉＰａｄ版「カレンダー」には、……ドラッグ＆ドロップでスケジュールの日付や時間を変更可能だ。」と記載されている。）。
　したがって、引用発明においても、当然、アプリの画面でジェスチャ等の操作を行うことで、アプリに当該操作に応じた動作を行わせる機能を有すると言えるから、上記周知の「ジェスチャ等の操作」、および、画面に表示されている「アプリ」は、それぞれ、本願発明の「第１ジェスチャ」、および、「フォアグランドのアプリケーション」に相当すると言える。そうすると、引用発明と本願発明は、「タッチスクリーンディスプレイに対して第１ジェスチャが行われると、フォアグランドのアプリケーションに当該第１ジェスチャに応じた動作を行わせ」る点で一致しているといえる。
　
（６）引用発明の「アプリを切り替える」操作は、それまで画面に表示されていたアプリが表示されなくなり、それまで画面に表示されていなかったアプリが画面に表示される操作といえる。
　そうすると、画面に表示されているアプリを「フォアグランド」のアプリケーションということができ、画面に表示されていない他のアプリを少なくとも「フォアグランドでない状態」のアプリケーションということができるから、引用発明は、「一のアプリケーションをフォアグランドにし、他のアプリケーションをフォアグランドでない状態にしている」状態を有している。
　さらに、引用発明は、「４本または、５本指で左右にスワイプして App を切り替える」ものであるから、引用発明における、切り替え前に画面に表示されていたアプリを「フォアグランド」から「フォアグランドでない状態」にされたアプリケーションということができ、切り替え後に画面に表示されるアプリを「フォアグランドでない状態」から「フォアグランド」にされたアプリケーションということができる。
　ここで、引用発明の「４本指で左右にスワイプ」する事を「第２ジェスチャ」ということとすると、引用発明の「４本指で左右にスワイプして App を切り替える」点は「第２ジェスチャが行われると」、「フォアグランドのアプリケーションをフォアグランドでない状態にする」と共に「フォアグランドでない状態のアプリケーションをフォアグランドにする」ものといえる。
　したがって、引用発明と本願発明は「前記タッチスクリーンディスプレイに対して第２ジェスチャが行われると、フォアグランドのアプリケーションをフォアグランドでない状態にすると共にフォアグランドでない状態のアプリケーションをフォアグランドにする」点において一致しているといえる。
　
　したがって、引用発明と本願発明は以下の点で一致している。
＜一致点＞
　「フォアグランドのアプリケーションの画面を表示するタッチスクリーンディスプレイと、
　前記タッチスクリーンディスプレイに対して第１ジェスチャが行われると、フォアグランドのアプリケーションに当該第１ジェスチャに応じた動作を行わせ、前記タッチスクリーンディスプレイに対して第２ジェスチャが行われると、フォアグランドのアプリケーションをフォアグランドでない状態にすると共にフォアグランドでない状態のアプリケーションをフォアグランドにするコントローラと、
　を備えた装置。」
　
　一方で、両者は次の点で相違する。
＜相違点１＞
　本願発明は、「一のアプリケーション」に対して、「他のアプリケーション」または「複数のアプリケーション」を「バックグランドにしている」のに対し、引用発明では、「フォアグランドでない状態」が「バックグランドにしている」状態であるかどうかについて記載がない点。
　
＜相違点２＞
　本願発明は、「一のアプリケーションをフォアグランドにしており他のアプリケーションをバックグランドにしている第１の場合」と、「一のアプリケーションをフォアグランドにしており複数のアプリケーションをバックグランドにしている第２の場合」とを有し、「第１の場合」に前記タッチスクリーンディスプレイに対して第２ジェスチャが行われると、フォアグランドのアプリケーションをバックグランドにすると共にバックグランドのアプリケーションをフォアグランドにし、「第２の場合」には、「前記タッチスクリーンディスプレイに対して前記第２ジェスチャが行われる度に」、バックグランドの複数のアプリケーションを、「当該複数のアプリケーションが実行された順序と逆順に」フォアグランドにするものであるのに対し、引用発明は上記「第１の場合」と「第２の場合」について記載がなく、単に「前記タッチスクリーンディスプレイに対して第２ジェスチャが行われると、フォアグランドのアプリケーションをフォアグランドでない状態にすると共にフォアグランドでない状態のアプリケーションをフォアグランドにする」ものである点で両者は相違している。
　
　そこで、上記相違点について検討すると、
＜相違点１＞について：
　情報処理装置において、使用中のアプリケーションが使用されなくなった場合に、バックグランドとすることは周知技術である（例えば、周知例３の記載事項ケには、Windows Mobile のタスク管理について記載されており、［×］ボタンを「終了」ではなく「最小化」として、１度起動したアプリを裏に回しておく点が記載されており、周知例４の記載事項コ、サには、BlackBerry のアプリ開発について記載されており、ユーザーが赤い電話キーを押すか、タスクを明示的に切り替えるときに、アプリケーションをバックグラウンドに送ることができる点が記載されており、周知例５の記載事項ス、セには、ｉＯＳ　４のアプリケーションのライフサイクルについて記載されており、ｉＯＳのアプリケーションが、非実行（Not Running）、アクティブ（Active）、非アクティブ（Inactive）、バックグラウンド（Background）、一時停止（Suspended）の５つの状態のうちどれか１つの状態を伴う点、及び、アプリケーションが幾つかの状況において Background の状態となる点が記載されている。）。
　したがって、引用発明もマルチタスク機能を有する装置であるから、引用発明において、上記周知技術を採用して、アプリを切り替えるときに、使用中のアプリをバックグランドとすることは、当業者が容易になし得たことである。
　
＜相違点２＞について：
　情報処理装置において、複数のアプリケーションの画面を、使用された順序と逆順に切り替えて表示させること、及び、アプリケーションの画面を循環して切り替えることは周知技術である（例えば、周知例６の記載事項ソ、タには、特定の操作に応じてウィンドウを順にアクティブにしてゆく技術、その際に、“現在表示されているウィンドウの重なりの順”を順方向逆方向にウィンドウ切り替え順序として適用する技術、及び、繰り返していくと最初にアクティブであったウィンドウに戻る技術が記載されており、周知例７の記載事項チ、ツには、現在アクティブになっているウインドウを最も優先順位の高いものとし、その裏のウインドウに順にウインドウ位置に応じた優先順位を設定し、ウインドウの優先順位の順にウインドウをアクティブとしてゆく技術、及び、ウインドウ切換時に、それまでアクティブであったウインドウは優先順位を最下位にする技術が記載されている。通常、ウィンドウの重なりは、より過去に使用したウィンドウは重なりの下の方に位置し、より最近に使用したウィンドウは重なりの上の方に位置するものであることを考慮すると、上記周知例６、７には、複数のウィンドウが使用された順序と逆順に切り替える制御、および、ウィンドウを循環して切り替える制御を行っているものといえる。）。
　そして、引用発明もアプリケーションの画面を切り替えて用いるものであるから、引用発明において、上記周知技術を採用して、アプリケーションを切り替える際に、アプリケーションを使用された順序と逆順に切り替えること、すなわち、アプリケーションが実行された順序と逆順にフォアグランドにすること、及び、アプリケーションを循環して切り替えるようにすることは、当業者が容易になし得たことである。
　また、例えば周知例５の記載事項シには「ｉＯＳのマルチタスキングは、一般的なマルチタスキングとは異なり、次の特徴を全面に出しています。」「オーディオ／ＧＰＳ／ＶｏＩＰを利用したアプリケーションをバックグラウンドで実行し続けられる」と記載されており、このような、オーディオの利用や、ＧＰＳの利用、ＶｏＩＰの利用は通常ユーザの必要に応じて任意に実行されるものであることを考慮すると、ｉＯＳにおいてはユーザの必要に応じて任意の個数のアプリケーションがユーザによって実行されるものと言える。したがって、引用発明の iPad2 においても同様に、任意の個数のアプリケーションが実行されるものといえるから、フォアグランドでない状態のアプリケーションが少なくとも１つあるような場合、すなわち、一のアプリケーションをフォアグランドにしており他のアプリケーションをフォアグランドでない状態にしている第１の場合、および、フォアグランドでない状態のアプリケーションが複数ある場合、すなわち、一のアプリケーションをフォアグランドにしており複数のアプリケーションをフォアグランドでない状態にしている第２の場合において使用することは、当然想定されていることといえる。
　そうすると、引用発明に上記周知技術を採用して、上記第１の場合に、アプリを循環して切り替えた結果、「フォアグランドのアプリケーションをバックグランドにすると共にバックグランドのアプリケーションをフォアグランドにする」ように制御すること、及び、上記第２の場合に、第２ジェスチャが行われる度に、「バックグランドの複数のアプリケーションを、当該複数のアプリケーションが実行された順序と逆順にフォアグランドにする」ように制御することは、当業者が容易になし得たことである。
　
　さらに、本願の請求項３に係る発明の作用効果も、引用発明１及び周知技術から当業者が予測し得たものである。
　
第５　むすび
　
　以上のとおり、本願の請求項３に係る発明は、特許法第２９条第２効の規定により特許を受けることができないものである。
　したがって、その余の請求項について論及するまでもなく、本願は拒絶すべきものである。
　よって、結論のとおり審決する。